(57)【要約】      （修正有）【課題】十分な強度を確保しながら、容易に変形することができ、収納状態から使用状態に対応する自由度を向上させる変形家具を提供する。【解決手段】複数のプレート１の間に紙２等の板状の弾性体が配置され、それぞれの弾性体間が接合部３で部分的に接合され、プレート１間で弾性体が挟み込まれた状態から少なくとも部分的にプレート１間の間隔が拡げられることにより家具が形成される構成とされるため、隣接される弾性体により管状の構造が形成されて強度が確保されながら、プレート１の開閉のみで容易に家具に変形することができ、プレート１の開板方向によって形状を選択することが可能となる。【選択図】図１
0003204478.tif 000002
【実用新案登録請求の範囲】
【請求項１】
複数枚のプレートと、
複数枚の前記プレートのそれぞれの表面の間に設けられる複数枚の板状弾性体と、
隣り合う前記板状弾性体間に設けられて前記プレートの表面と平行な面において互いに平行な接合部と
を有し、前記接合部は隣り合う前記板状弾性体を部分的に接合し、隣り合う前記板状弾性体の表面に形成される前記接合部は前記プレートの表面と平行な面において互いに間隔を備えることを特徴とする変形家具。
【請求項２】
複数枚のプレートと、
複数枚の前記プレートのそれぞれの表面の間に設けられる複数枚の板状弾性体と、
隣り合う前記板状弾性体間に設けられて前記プレートの表面と平行な面において互いに平行な接合部と
を有し、前記接合部は隣り合う前記板状弾性体を部分的に接合し、隣り合う前記板状弾性体の表面に形成される前記接合部は前記プレートの表面と平行な面において互いに間隔を備え、隣り合う前記弾性体の表面全体が接する状態では収納状態であり、隣り合う前記弾性体間に隙間が生じるように前記プレートが互いに離間された状態、または前記プレートの一辺から前記一辺と向かい合う他片に向かう程隣り合う前記弾性体間に生じる隙間が大きくなるように前記一辺を軸として前記プレートが互いに離間された状態では家具であることを特徴とする変形家具。
【請求項３】
前記隙間はハニカム構造であることを特徴とする請求項１または請求項２に記載の変形家具。
【請求項４】
前記プレートに設けられる固定部をさらに有することを特徴とする請求項１〜請求項３のいずれか１項に記載の変形家具。
【請求項５】
前記固定部は磁石であることを特徴とする請求項４記載の変形家具。
【請求項６】
前記プレートの少なくとも一辺が曲線であり、前記板状弾性体が前記プレートの相似形であることを特徴とする請求項１〜請求項５のいずれか１項に記載の変形家具。
【請求項７】
前記家具がいすであることを特徴とする請求項１〜請求項６のいずれか１項に記載の変形家具。
【請求項８】
前記家具が机であることを特徴とする請求項１〜請求項６のいずれか１項に記載の変形家具。
【請求項９】
前記板状弾性体は紙であることを特徴とする請求項１〜請求項８のいずれか１項に記載の変形家具。
【請求項１０】
前記板状弾性体は防水性を備えることを特徴とする請求項１〜請求項９のいずれか１項に記載の変形家具。
【考案の詳細な説明】
【技術分野】
【０００１】
本考案は、収納状態から家具に変形される変形家具に関する。
【背景技術】
【０００２】
従来の変形家具は、金属パイプと布等を組み合わせて構成され、金属パイプで構成される骨組みを変形させることにより家具に変形していた。
あるいは、複数の部品を一定の手順で組み立てることにより家具が形成されていた。
【先行技術文献】
【特許文献】
【０００３】
【特許文献１】特開平１１−２７７６４７号公報
【考案の概要】
【考案が解決しようとする課題】
【０００４】
しかしながら、従来の変形家具は、家具の強度を確保する必要性があるため、収納状態においても形状が大きかったり、組立が容易でなかったりする場合があった。また、変形後の家具形態が一様であり、変形家具は使用状態に適応させることが困難であった。
【０００５】
本考案は、十分な強度を確保しながら、容易に変形することができ、使用状態に対応する自由度を向上させることを目的とする。
【課題を解決するための手段】
【０００６】
上記目的を達成するために、本考案の一実施形態における変形家具は、複数枚のプレートと、複数枚の前記プレートのそれぞれの表面の間に設けられる複数枚の板状弾性体と、隣り合う前記板状弾性体間に設けられて前記プレートの表面と平行な面において互いに平行な接合部とを有し、前記接合部は隣り合う前記板状弾性体を部分的に接合し、隣り合う前記板状弾性体の表面に形成される前記接合部は前記プレートの表面と平行な面において互いに間隔を備えることを特徴とする。
【０００７】
また、一実施形態における変形家具は、複数枚のプレートと、複数枚の前記プレートのそれぞれの表面の間に設けられる複数枚の板状弾性体と、隣り合う前記板状弾性体間に設けられて前記プレートの表面と平行な面において互いに平行な接合部とを有し、前記接合部は隣り合う前記板状弾性体を部分的に接合し、隣り合う前記板状弾性体の表面に形成される前記接合部は前記プレートの表面と平行な面において互いに間隔を備え、隣り合う前記弾性体の表面全体が接する状態では収納状態であり、隣り合う前記弾性体間に隙間が生じるように前記プレートが互いに離間された状態、または前記プレートの一辺から前記一辺と向かい合う他片に向かう程隣り合う前記弾性体間に生じる隙間が大きくなるように前記一辺を軸として前記プレートが互いに離間された状態では家具であることを特徴とする。
【考案の効果】
【０００８】
以上のように、複数のプレートの間に紙等の板状の弾性体が配置され、それぞれの弾性体間が接合部で部分的に接合され、プレート間で弾性体が挟み込まれた状態から少なくとも部分的にプレート間の間隔が拡げられることにより家具が形成される構成とされるため、隣接される弾性体により管状の構造が形成されて強度が確保されながら、プレートの開閉のみで容易に家具に変形することができ、プレートの開板方向によって形状を選択することが可能となる。
【図面の簡単な説明】
【０００９】
【図１】本考案の一実施形態における変形家具の変形状態を示す図
【図２】本考案の一実施形態における接合部の構成を例示する変形家具の側面図
【図３】本考案の一実施形態における隙間の構成を例示する変形家具の斜視図
【図４】本考案の一実施形態におけるプレートを開いた状態の紙の構成を例示する図
【図５】本考案の一実施形態における隙間の構成を例示する図
【図６】本考案の一実施形態における隙間の構成を例示する図
【図７】実施の形態１の変形家具における収納状態を示す図
【図８】実施の形態１の変形家具における家具状態を示す図
【図９】実施の形態１の変形家具における家具状態を示す図
【図１０】実施の形態１の変形家具における家具状態を示す図
【図１１】実施の形態１の変形家具における家具状態を示す図
【図１２】実施の形態１の変形家具における家具状態を示す図
【図１３】実施の形態１の変形家具における家具状態を示す図
【図１４】実施の形態１の変形家具における固定部の構成を例示する図
【図１５】実施の形態２の変形家具における収納状態を示す図
【図１６】実施の形態２の変形家具における家具状態を示す図
【図１７】実施の形態２の変形家具における家具状態を示す図
【図１８】実施の形態２の変形家具における家具状態を示す図
【考案を実施するための形態】
【００１０】
まず、本考案の変形家具の概略構成について図１〜図６を用いて説明する。
図１は本考案の一実施形態における変形家具の変形状態を示す図である。図２は本考案の一実施形態における接合部の構成を例示する変形家具の側面図であり、収納状態での紙および接合部の構成を例示する。図３は本考案の一実施形態における隙間の構成を例示する変形家具の斜視図であり、プレートを開いた状態での接合部および隙間の構成を概略的に例示する。図４は本考案の一実施形態におけるプレートを開いた状態の紙の構成を例示する図、図５，図６は本考案の一実施形態における隙間の構成を例示する図である。
【００１１】
図１に示すように、本考案の変形家具は、例えば平行に配置される２枚のプレート１と、２枚のプレート１の間に配置される紙２等の複数枚の板状弾性体とから構成される。各板状弾性体は隣接する板状弾性体との間に接合部３が設けられ、隣り合う板状弾性体は接合部３で互いに接合される。接合部３は板状弾性体が互いに向かい合う表面において部分的に設けられ、接合部３以外の表面は隣接する板状弾性体と接合されない。プレート１および各板状弾性体は、互いに同一形状または相似形状であることが好ましく、略平行に配置される。プレート１の外形形状は正方形や長方形等の矩形でもその他の多角形でもＬ字型でも良い。プレート１の各辺のうちの１または複数辺は曲線状であっても良い。また、プレート１の各辺の境界は角状であってもＲ状であっても良くテーパーが形成されていても良い。また、２枚のプレート１の間に板状弾性体と共に別のプレートを設けても良い。ここで、板状弾性体はプレート１の開閉に応じて変形できる材質であれば良く、プラスティック等の樹脂や布、紙等が用いられる。以下では板状弾性体の例として紙２を例に説明する。また、プレート１は家具として使用する状態で、容易に変形・破壊をしない強度の板であり、木材や金属、樹脂等を用いることができる。
【００１２】
紙２を挟んで２枚のプレート１を近接させ、各板状弾性体間の間隔を最小にした状態が収納状態４であり、この状態で変形家具の外形寸法が最小となる。プレート１および紙２の表面が長方形であるとした場合、プレート１を平行に開いた状態が長いす状態５である。図ではプレート１をまっすぐに開いて直方体状の家具を形成したが、途中を曲げるように広げて、自由な形状の家具にすることもできる。また、２枚のプレート１の向かい合う長辺８を合わせ、これを中心にプレート１を円弧状に開いた状態が縦長丸いす状態６である。また、２枚のプレート１の向かい合う短辺９を合わせ、これを中心にプレート１を円弧状に開いた状態が横広丸いす状態７である。上記説明では変形後いすを形成したが、変形後の家具は机等のその他の家具に用いることもできる。このように、プレート１を開くのみで家具に変形することができ、容易に収納状態から家具に変形することができる。同時に、プレート１を開く方向によって様々な形状の変形後の家具を選択することができ、使用状態に対応する自由度を向上させることができる。
【００１３】
図２，図３に示すように、接合部３は紙２の表面１０に設けられ、隣り合う紙２を接合する。接合部３は例えば接着剤であり、隣り合う２枚の紙２を部分的に接合する。紙２の１つの表面において、接合部３は紙２の１つの辺１１の長さ方向に一定の間隔Ｗ１を隔てて設けられ、辺１１の長さ方向と交差する方向に延伸される。接合部３の辺１１の長さ方向における幅はＷ２である。１枚の紙２の表裏をなす表面１０および裏面１２において、接合部３は、辺１１の長さ方向に一定の間隔Ｗ３を隔てて設けられる。つまり、表面１０に交差する面において、接合部３は千鳥状に配置される。ここで、全ての紙２において、間隔Ｗ１，間隔Ｗ２および間隔Ｗ３は同じである必要はないが、表面１０に交差する面において、接合部３は千鳥状に配置される。なお、互いに隣り合うプレート１と紙２とは、同様に接合部３により接合されても良いが、全面的に接合されても良く、接合状態は任意である。
【００１４】
図３，図４に示すように、収納状態からプレート１（図２参照）を開くと、隣り合う紙２間のそれぞれの間隔Ｗ４は大きくなり、隙間１３が形成される。それぞれの紙２間に隙間１３が形成されると、プレート１（図２参照）の間隔も広くなり、収納状態から図１に示すような、いすや机に変形される。接合部３は辺１１（図２参照）と直行する方向あるいは辺１１と交差する他の辺と平行は方向等にまっすぐに延伸されても良いが、傾いて表面１０上で延伸されても良く、あるいは途中で屈曲したり円弧を描いても良い。ただし、各接合部３は互いに平行に設けられることが好ましい。このように隙間１３は、隣り合う２つの接合部３の間で隣り合う２枚の紙により断面が環状の管状に形成される。このように家具に変形された状態で管状の隙間１３が多数プレート１（図２参照）間に形成されることにより、１枚１枚の紙２の強度が小さくても、家具の強度が確保される。隙間１３の断面の環状形状は、図５に示すように、接合部３間の直線状の紙２と２つの直線状の接合部３とからなるハニカム形状でも良いし、図６に示すような直線状の接合部３と接合部３間の円弧状の紙２とからなる環状形状であっても良い。
【００１５】
なお、紙２は、プレート１の開閉に応じて容易に変形可能であると共に、使用状態に応じて最低限の強度を有するものであれば任意であるが、例えばハトロン紙やクラフト紙を用いることができる。弾性体として紙２を用いた場合、紙は容易にリサイクルを行うことができるので、環境に配慮した変形家具とすることができる。また、紙は容易かつ環境への悪影響をあまり与えずに燃焼させることができるため、変形家具の廃棄にも便利である。特にプレート１を木材等により形成した場合、変形家具全体を焼却することができる。また、上述のように収納状態はコンパクトであり、紙は軽量であるため、本考案の変形家具は、軽量でコンパクトに収納することができ、持ち運びにも便利である。また、紙２をコーティング等により防水処理を行うことにより、変形後の家具を屋外で使用する場合にも便利である。
【００１６】
以下、本考案の実施の形態として、変形家具の形態例を示す。
（実施の形態１）
実施の形態１の変形家具について、図７〜図１４を用いて説明する。
【００１７】
図７は実施の形態１の変形家具における収納状態を示す図、図８〜図１３は実施の形態１の変形家具における家具状態を示す図、図１４は実施の形態１の変形家具における固定部の構成を例示する図である。
【００１８】
プレート１の表面１４は例えば、長辺８が４２０ｍｍ、短辺９が３１０ｍｍの長方形状である。弾性体の例である紙２は、２枚のプレート１間に２２８枚設けられ、プレート１の表面１４より約５ｍｍ程度小さく、プレート１の表面１４の重心と紙２表面の重心とが一致するように配置される。プレート１の表面１４は、持ち運びおよび変形が容易になるように持ち手部１５を備えることもできる。１枚の紙２の厚みは０．２２ｍｍである。図７に示す収納状態におけるプレート１の外表面間隔Ｗ５は７０ｍｍである。隣り合う紙２間は、上述の接合部により接合される。
【００１９】
図７に示す収納状態から、プレート１を矢印Ａの方向に互いに離れるように変形させると、図８のような長いすあるいはテーブルといった家具となる。この状態でのプレート１の外表面間隔Ｗ６は７０ｍｍ以上１０００ｍｍ以下の任意の長さに設定できる。また、図７に示す収納状態から、短辺９の一方を固定し他方を矢印Ｂの方向にプレート１が互いに離れるように変形させると、図９に示すような家具となり、さらに矢印Ｂの方向に変形させて２枚のプレート１を接触させることにより図１０に示すような上面円の半径が長辺８の長さである４２０ｍｍの家具となる。また、図７に示す収納状態から、長辺８の一方を固定し他方を矢印Ｃの方向にプレート１が互いに離れるように変形させると、図１１に示すような上面円の半径が短辺９の長さである３１０ｍｍの家具となる。なお、これらの家具において、上面の形状に相当する天板１６を上面に載置して用いるようにすることもでる。これは他の実施の形態に示す家具でも同様である。また、図８に示すようにプレート１を互いにまっすぐに離間させても良いが、途中にカーブを設けるように離間させて図１２に示すような形状の家具とすることもできる。また、プレート１の１または複数辺、例えば１つの短辺１７を曲線状にしても良く、その場合図１３に示すように周面１８が曲面の家具とすることができる。
【００２０】
図１４に示すように、プレート１に固定部を設けることもできる。固定部は２枚のプレート１を互いに接合して、変形後の家具の形状を固定するものである。例えば、プレート１の外表面１９にマジックテープ（登録商標）を設置したり、外表面１９または外表面１９内に磁石２０を配置したり、２枚のプレート１それぞれに紐２１（図１１参照）や金具２２を設けることができる。また、これらを組み合わせて用いることもできる。
【００２１】
以上のように、プレート１を拡げるだけで、容易に、様々な形態の家具に自由度をもって変形することができる。
（実施の形態２）
実施の形態２の変形家具について、図１５〜図１８を用いて説明する。
【００２２】
図１５は実施の形態２の変形家具における収納状態を示す図、図１６〜図１８は実施の形態２の変形家具における家具状態を示す図である。
プレート２３の表面１４はＬ字形状であり、例えば、辺２４が７５０ｍｍ、辺２５が５００ｍｍ、辺２６が１００ｍｍ、辺２７が４２０ｍｍ、辺２８が２６０ｍｍ、辺２９が３２０ｍｍのである。それぞれの辺は曲線部分を介してつながる場合がある。弾性体の例である紙２は、２枚のプレート２３間に５００枚設けられ、プレート２３の表面１４より約５ｍｍ程度小さく、プレート２３の表面１４の重心と紙２表面の重心とが一致するように配置される。１枚の紙２の厚みは０．２２ｍｍである。図１５に示す収納状態におけるプレート２３の外表面間隔Ｗ７は１３０ｍｍである。隣り合う紙２間は、上述の接合部により接合される。
【００２３】
図１５に示す収納状態から、プレート２３を矢印Ｄの方向に互いに離れるように変形させると、図１６のようなベンチ形状の家具となる。この状態でのプレート２３の外表面間隔Ｗ８は１３０ｍｍ以上１５００ｍｍ以下の任意の長さに設定できる。この際、実施の形態１と同様にプレート２３をまっすぐに離間するだけではなく、途中で曲がりが生じるように離間しても良い。また、図１５に示す収納状態から、辺２４を固定し辺２７が矢印Ｅの方向に互いに離れるように変形させると、図１７に示すような家具となる。また、図１５に示す収納状態から、辺２７を固定し辺２４が矢印Ｆの方向に互いに離れるように変形させると、図１８に示すような家具となる。
【００２４】
以上のように、様々な形態のプレート２３を拡げるだけで、容易に、様々な形態の家具に自由度をもって変形することができる。
【符号の説明】
【００２５】
１    プレート
２    紙
３    接合部
４    収納状態
５    長いす状態
６    縦長丸いす状態
７    横広丸いす状態
８    長辺
９    短辺
１０    表面
１１    辺
１２    裏面
１３    隙間
１４    表面
１５    持ち手部
１６    天板
１７    短辺
１８    周面
１９    外表面
２０    磁石
２１    紐
２２    金具
２３    プレート
２４    辺
２５    辺
２６    辺
２７    辺
２８    辺
２９    辺
【図１】
0003204478.tif 000003
【図２】
0003204478.tif 000004
【図３】
0003204478.tif 000005
【図４】
0003204478.tif 000006
【図５】
0003204478.tif 000007
【図６】
0003204478.tif 000008
【図７】
0003204478.tif 000009
【図８】
0003204478.tif 000010
【図９】
0003204478.tif 000011
【図１０】
0003204478.tif 000012
【図１１】
0003204478.tif 000013
【図１２】
0003204478.tif 000014
【図１３】
0003204478.tif 000015
【図１４】
0003204478.tif 000016
【図１５】
0003204478.tif 000017
【図１６】
0003204478.tif 000018
【図１７】
0003204478.tif 000019
【図１８】
0003204478.tif 000020